(57)【要約】【課題】光の定理と電球の光源特性をシェードのデザインで照度を飛躍的に向上させ、従来のＬＥＤ電球と同等以上の明るさであり、照度が２〜４倍となるＬＥＤ電球アタッチメント及びその設置方法を開発・提供することにある。【解決手段】アタッチメント本体１、あるいは該本体の内面を反射材で構成し、ＬＥＤ電球Ｘから最も近い位置に取付け、該ＬＥＤ電球からの光を出来る限り直角に集光し、反射させるシェードとしたことを特徴とするＬＥＤ電球アタッチメントであり、アタッチメント本体が、直接、あるいは中間部材２を介してＬＥＤ電球と係合するよう構成し、また、アタッチメント本体、あるいは該本体の内面を反射材で構成し、該反射材をＬＥＤ電球から最も近い位置に非接触的に配置して取付け、該ＬＥＤ電球からの光を出来る限り直線的に反射させるよう形成・配置することを特徴とするＬＥＤ電球アタッチメントの設置方法。【選択図】    図１
2013258094.tif 000002
【特許請求の範囲】
【請求項１】
アタッチメント本体、あるいはアタッチメント本体の内面を増光反射材で構成し、アタッチメントを、ＬＥＤ電球から最も近い位置に取付け、該ＬＥＤ電球からの光を出来る限り直角に集光し、反射させるアタッチメントとしたことを特徴とするＬＥＤ電球アタッチメント。
【請求項２】
アタッチメント本体が、直接、あるいは中間部材を介してＬＥＤ電球と係合することを特徴とする請求項１記載のＬＥＤ電球アタッチメント。
【請求項３】
中間部材が、リング状、あるいは、アタッチメント本体の上縁部からＬＥＤ電球の中心に向かう複数本の放射状に伸びる放射状ロッドであることを特徴とする請求項２記載のＬＥＤ電球アタッチメント。
【請求項４】
リング状の中間部材が、サイズ調節用のアジャスターを設けていることを特徴とする請求項３記載のＬＥＤ電球アタッチメント。
【請求項５】
アタッチメント本体の素材が、鉄、ステンレス鋼、あるいは合成樹脂等の耐食性シート材であることを特徴とする請求項１または２または３記載のＬＥＤ電球アタッチメント。  
【請求項６】
アタッチメント本体の素材である合成樹脂等の耐食性シート材の内面にアルミ蒸着、あるいはアルミ箔を貼着した、または、鏡面仕上げされたものから選ばれたものであることを特徴とする請求項５記載のＬＥＤ電球アタッチメント。
【請求項７】
アタッチメント本体の外部形状が、カップを逆さにした形状、下方に向かうに従って拡開する形状か、あるいは、筒状であることを特徴とする請求項１または２または３または５または６記載のＬＥＤ電球アタッチメント。
【請求項８】
ＬＥＤ電球の下部に位置するようアタッチメント本体を設け、該電球をアタッチメント本体に向けて照射し、アタッチメント本体に照射した光源を反射させることを特徴とする請求項１または２または３または５または６または７記載のＬＥＤ電球アタッチメント。  
【請求項９】
アタッチメント本体、あるいはアタッチメント本体の内面を増光反射材で構成し、該反射材をＬＥＤ電球から最も近い位置に非接触的に配置して取付け、該ＬＥＤ電球からの光を出来る限り直線的に反射させるよう形成・配置することを特徴とするＬＥＤ電球アタッチメントの設置方法。
【発明の詳細な説明】
【技術分野】
【０００１】
この発明は、ＬＥＤ電球アタッチメント及びその設置方法に関するものであり、特に、ＬＥＤ電球の照度を向上させるＬＥＤ電球アタッチメント及びその設置方法に関するものである。
【背景技術】
【０００２】
従来、ＬＥＤ電球等の電球は、その構造上、光源のルーメン（光源から発する明るさ）を直下が明るく照射するものである。
【０００３】
しかし、多くの場合、電球単体で使用することは少なく、用途に応じたシェードを使用して、照度の向上を図っている。
【０００４】
しかしながら、光の定理や電球光源の特性を考慮したものでもなく、本来のルーメンを効率的に利用しないため、本来の電球の明るさにはなっていない。
【０００５】
従来のシェードは、光の定理である，明るさは距離の二乗に反比例するとの点に考慮がされてないため、光源と反射材との距離が有り、光りを有効に集光していないという欠点があった。
【０００６】
また、照明器具のシェードとして、天板に電球を取付け、該電球の周囲にシェードを係止爪で取り付けるものは存在した。例えば、特許文献１のように。
【先行技術文献】
【特許文献】
【０００７】
【特許文献１】実開平６−８０２１３号号公報
【０００８】
しかし、この技術は、電球である光源とシェードとの間隔を隔てて設けており、良好な意匠感はあるものの、ルーメンを効率的に利用したものではなかった。
【０００９】
そこで、この発明は、これを光の定理を考慮したシェードのデザインとＬＥＤ電球の光源の特性を用い、従来のシェード使用時の数倍の明るさにするＬＥＤ電球アタッチメント及びその設置方法を求めるものである。
【発明の概要】
【発明が解決しようとする課題】
【００１０】
そのため、この発明は、光の定理と電球の光源特性をシェードのデザインで照度を飛躍的に向上させ、従来の白熱電球や蛍光タイプの電球と同等、あるいは同等以上の明るさにするＬＥＤ電球アタッチメント及びその設置方法を開発・提供することにある。
【課題を解決するための手段】
【００１１】
そこで、この発明は、上記の課題を解決すべく、鋭意研究を重ねた結果、光の定理である「照度は光源からの距離の二乗に反比例する」ことから、ＬＥＤ電球の光を、可能なかぎり最短距離でシェードであるアタッチメントに集光し、直角に直線的に反射するＬＥＤ電球アタッチメント及びその設置方法を提供するものである。
【発明の効果】
【００１２】
この発明によると、従来のシェードに比べて、２〜４倍の照度を得ることができ、また、シェードに使用する素材は、耐熱性素材を使用し、また、その対象がＬＥＤ電球に使用するものであり、安全である等の効果を奏する。
【００１３】
さらに、この発明によると、各メーカーのＬＥＤ電球のサイズに適合できるよう構成したため、極めて便利である。
【図面の簡単な説明】
【００１４】
【図１】この発明に使用するアタッチメントの一実施例を示す一部欠截正面図である。
【図２】この発明に使用するアタッチメントのそれぞれ一実施例を示し、（ａ）は、平面図であり、（ｂ）も平面図である。
【図３】この発明に使用するアタッチメントの一実施例を示し、（ａ）は、平面図であり、（ｂ）は斜視図である。
【図４】この発明に使用するアタッチメントの一実施例を示す展開図である。
【図５】この発明に使用するアタッチメントの比較例を示し、（ａ）は、通常のＬＥＤ電球、（ｂ）は、全方向性ランプシェード、（ｃ）は、指向性ランプシェードの各説明図である。
【図６】この発明に使用するアタッチメントの他の実施例を示す説明図である。
【図７】この発明の原理を説明する説明図である。
【図８】従来例の説明図である。
【発明を実施するための形態】
【００１５】
以下、本発明について詳細に説明する。なお、本発明においては、以下の記述に限定されるものではなく、本発明の要旨を逸脱しない範囲においては適宜変更可能である。
【実施例】
【００１６】
そこで、この発明の一実施例を図１に基づいて詳述すると、アタッチメント（１）本体、あるいはアタッチメント（１）本体の内面を増光反射材（Ｙ）で構成し、アタッチメントを、ＬＥＤ電球（Ｘ）から最も近い位置に取付け、該ＬＥＤ電球（Ｘ）からの光を出来る限り直角に集光し、反射させるアタッチメントとしたＬＥＤ電球アタッチメントから構成される。
【００１７】
そして、ＬＥＤ電球（Ｘ）は、もともと、他の白熱電球や蛍光タイプの電球のようには、熱を持たない電球であり、アタッチメント（１）本体を、直接か、あるいは中間部材（２）を介してＬＥＤ電球（Ｘ）と係合するよう構成したＬＥＤ電球アタッチメントからなるものである。
【００１８】
そして、中間部材（２）が、図２に示すように、リング（２ａ）状、あるいは、アタッチメント（１）本体の上縁部（ａ）からＬＥＤ電球（Ｘ）の中心に向かう複数本の放射状に伸びる突条（２ｂ）を有するものから構成される。
【００１９】
さらに、図３に示すように、リング状の中間部材（２）に、サイズ調節用のアジャスター（２ｃ）の機能も持たせ、各メーカーにより異なるＬＥＤ電球（Ｘ）に装着できるよう構成したＬＥＤ電球アタッチメントである。
【００２０】
さらに、アタッチメント（１）本体の素材は、鉄製、ステンレス鋼製、あるいは合成樹脂等の耐食性シート材であることを特徴とするＬＥＤ電球アタッチメントである。
【００２１】
また、アタッチメント（１）本体の素材である合成樹脂等の耐食性シート材の内面に、アルミ蒸着、あるいはアルミ箔を貼着し、または、鏡面仕上げされた増光反射材から選ばれたものであることを特徴とするＬＥＤ電球アタッチメントである。
【００２２】
そして、アタッチメント（１）本体の形状は、特に限定しないが、その一例としてはカップを逆さにした形状や、図４に展開図として示したような、下方に向かうに従って拡開するスカート状、あるいは、スポットライトのような筒状体であることを特徴とするＬＥＤ電球アタッチメントである。
【００２３】
また、図６に示すように、アタッチメント（１）本体を、ＬＥＤ電球（Ｘ）の下部に配置して設け、該電球（Ｘ）をアタッチメント本体に向けて、アタッチメントの反射により上方に照射するよう構成したＬＥＤ電球アタッチメントであってもよい。
【００２４】
さらに、アタッチメント（１）本体の内面には、その一実施例として、素材が合成樹脂等の耐食性シート材であり、該シート材の内面にアルミ蒸着、あるいはアルミ箔を貼着したもの、または、素材を鏡面仕上げしたものから選ばれた増光反射材であるＬＥＤ電球アタッチメントである。
【００２５】
さらに、アタッチメント（１）本体の内面に使用する素材については、従来、光の反射が制御不能とされる白塗装素材を塗布して増光反射材として使用しても充分効果が期待できるものである。
【００２６】
次に、発明の方法を、図５（ａ）ならびに図６を基に詳述すると、アタッチメント（１）本体、あるいはアタッチメント（１）本体の内面を増光反射材で構成したアタッチメント（１）本体を、ＬＥＤ電球（Ｘ）から最も近い位置に非接触的に配置して取付け、該ＬＥＤ電球（Ｘ）からの光を出来る限り直角に、直線的に反射させるよう形成・配置することを特徴とするＬＥＤ電球アタッチメントの設置方法から構成されるものである。
【００２７】
そして、アタッチメント（１）本体は、中間部材（２）を介してＬＥＤ電球（Ｘ）に接近して設けられており、ＬＥＤ電球（Ｘ）である光源から最も近い位置に設けることにより、光を有効に集光でき、充分な照度が得られるものである。
【産業上の利用可能性】
【００２８】
この発明によると、ＬＥＤ電球アタッチメントの技術を確立し、その確立された技術に基づいて、製造・販売することにより、産業上の利用可能性があるものである。
【符号の説明】
【００２９】
１  アタッチメント
２  中間部材
２ａ  リング状枠体
２ｂ  放射状ロッド
２ｃ  サイズ調節用のアジャスター
Ｘ  ＬＥＤ電球
【図１】
2013258094.tif 000003
【図２】
2013258094.tif 000004
【図３】
2013258094.tif 000005
【図４】
2013258094.tif 000006
【図５】
2013258094.tif 000007
【図６】
2013258094.tif 000008
【図７】
2013258094.tif 000009
【図８】
2013258094.tif 000010